(57)【要約】【課題】  従来の構造のドラムユニットを使用しながら、ドラムのヘッド軌跡とリード角度との相対角度を調整可能にして、高精度のドラムユニットを安価に提供することを課題とする。【解決手段】  シャーシ１０に固定的に設けられた支持軸３４と、上記支持軸を中心として位置すると共に走行するテープ状記録媒体が所定の巻き付け角だけ巻き付けられるドラム面を有するドラム体３１、３２と、上記ドラム体の上記シャーシに対して固定的である部分に形成されテープ状記録媒体５２の側縁を案内するリード３１ａと、上記支持軸周りに回転自在に設けられると共に上記テープ状記録媒体に対する信号の記録及び読取を行うヘッド３２ｂと、上記シャーシに上記支持軸の軸方向を横切る方向に移動可能に設けられると共に上記支持軸の自由端に直接に又は間接的に位置固定された軸垂調整手段６０とを備え、上記軸垂調整手段のシャーシに対する位置を調整することによって、上記テープ状記録媒体の走行方向に対する上記支持軸の傾斜角度を調整するドラムユニット装置。【選択図】  図９
2005203031.tif 000002
【特許請求の範囲】
【請求項１】
シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備え、
上記軸垂調整手段のシャーシに対する位置を調整することによって、上記テープ状記録媒体の走行方向に対する上記支持軸の傾斜角度を調整する
ことを特徴とするドラムユニット装置。
【請求項２】
上記テープ状記録媒体が記録面に磁性粉が塗布されて成る磁気テープであり、上記ヘッドが漏れ磁束により上記磁気テープに磁気的に記録を行い、また、磁気テープから発せられる漏れ磁束を読み取る磁気ヘッドである
ことを特徴とする請求項１に記載のドラムユニット装置。
【請求項３】
テープ状記録媒体を走行させるテープ走行機構と、
走行するテープ状記録媒体が所定の巻き付け角だけ巻き付けられるドラム面を有し、該ドラム面に巻き付けられているテープ状記録媒体に対して信号の記録及び読取を行うドラムユニット装置を備え、
上記ドラムユニット装置は、シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備えた
ことを特徴とする記録再生装置。
【請求項４】
上記テープ状記録媒体が記録面に磁性粉が塗布されて成る磁気テープであり、上記ヘッドが漏れ磁束により上記磁気テープに磁気的に記録を行い、また、磁気テープから発せられる漏れ磁束を読み取る磁気ヘッドである
ことを特徴とする請求項３に記載の記録再生装置。
【発明の詳細な説明】
【技術分野】
【０００１】
本発明は新規なドラムユニット装置及びドラムユニット装置を備えた記録再生装置に関する。詳しくは、高品位で、且つ、互換性の高い記録を行うことを可能にする技術に関する。
【背景技術】
【０００２】
テープ状記録媒体、例えば、磁気テープへの信号の記録技術は飛躍的な発展を遂げ、信号の記録密度はますます高密度化してきている。そして、記録の高密度化に伴い、記録精度も高いものが要求されるようになって来ている。例えば、デジタルビデオテープレコーダーにおけるテープフォーマットでは、テープ上に記録される信号のトラックピッチが１０μｍ前後という高精度が要求されている。
【０００３】
テープ上に記録される信号パターンを高精度にするには、テープ状記録媒体の走行方向とヘッドの移動軌跡とが為す角度が正確に規定される必要がある。そして、テープ状記録媒体の走行方向は、記録装置、特に、テープ状記録媒体が巻き付けられテープ状記録媒体の下縁を案内するドラムのリードによって規定されるので、このリードとドラムに巻き付けられながら走行するテープ状記録媒体に対する記録を行う回転ヘッドの移動軌跡とが成す相対角度を高精度に設定しなければならない。
【０００４】
リードとヘッドとの相対角度が高精度に設定されていないと、一の記録再生装置で記録されたテープ状記録媒体を他の記録再生装置で再生する際に、ヘッドがテープ状記録媒体上の記録パターンを精確にトレースすることができず、良好な再生信号を得られないか、極端な場合には、再生不能になる。
【０００５】
テープ状記録媒体上に記録される信号パターンの記録角度は、テープ状記録媒体の走行速度と記録ヘッドの回転スピードとの相対速度及びテープ状記録媒体に信号を記録するドラムのリードと記録ヘッドの移動軌跡との相対角度によって決定される。そして、記録ヘッドの回転スピードとテープ状記録媒体の走行速度は、電気的な制御により高精度に設定することが可能であるが、ドラムのリード角度と記録ヘッドの軌跡との相対角度は機械精度により決定される。この機械精度を高精度にするには構成部品の高精度の加工と各部品の高精度の組立が必要であり、このことが高コストの原因となっている。
【０００６】
そこで、ドラムのヘッドの移動軌跡とリード角度を調整式にすることによりドラム構成部品の組み立て精度を従来のドラムより緩和する試みが、例えば、特許文献１によって為されている。
【０００７】
特許文献１に示されたドラムユニットは、下ドラム（Ｄｄ）に圧入固定されたドラム軸（３）に対して回転磁気ヘッド（Ｈａ、Ｈｂ）を備えた上ドラム（Ｄｕ）を回転自在に支持し、下ドラム（Ｄｄ）に外嵌されるようにリードリング（ＬＲ）を設けて、このリードリング（ＬＲ）の上縁によってリードを形成する構造とするものである。そして、リード角と回転磁気ヘッド（Ｈａ、Ｈｂ）の軌跡との相対角度の調整は、ギア付きスクリュー（４）を回転操作して下ドラム（Ｄｄ）、従って、ドラム軸（３）を傾けることによって、行うようになっている。すなわち、回転磁気ヘッド（Ｈａ、Ｈｂ）はドラム軸（３）を中心として回転するので、このドラム軸（３）を傾けることによって、ヘッド（Ｈａ、Ｈｂ）の移動軌跡が傾けられることになる。
【０００８】
【特許文献１】特開平７−３２６１００号公報
【発明の開示】
【発明が解決しようとする課題】
【０００９】
ところで、上記した特許文献１に示された発明にあっては、従来からある構造のドラムユニットには適用することができず、従来のリードを備えた下ドラムを下ドラム（Ｄｄ）とリードリング（ＬＲ）という２重構造にし、さらに、下ドラム（Ｄｄ）、ドラム軸（３）を傾けるためのギア付きスクリュー（４）をドラムユニット自体に設けるという、複雑な構造を採らざるを得ず、高コストなものとなってしまう。
【００１０】
そこで、本発明は、従来の構造のドラムユニットを使用しながら、ドラムのヘッド軌跡とリード角度との相対角度を調整可能にして、高精度のドラムユニットを安価に提供することを課題とする。
【課題を解決するための手段】
【００１１】
本発明ドラムユニット装置は、上記した課題を解決するために、シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備え、上記軸垂調整手段のシャーシに対する位置を調整することによって、上記テープ状記録媒体の走行方向に対する上記支持軸の傾斜角度を調整するようにしたものである。
【００１２】
また、本発明記録再生装置は、上記した課題を解決するために、テープ状記録媒体を走行させるテープ走行機構と、走行するテープ状記録媒体が所定の巻き付け角だけ巻き付けられるドラム面を有し、該ドラム面に巻き付けられているテープ状記録媒体に対して信号の記録及び読取を行うドラムユニット装置を備え、上記ドラムユニット装置は、シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備えたものである。
【００１３】
従って、本発明にあっては、軸垂調整手段のシャーシに対する位置を調整することによって、支持軸がリードに対して傾斜される。
【発明の効果】
【００１４】
本発明ドラムユニット装置は、シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備え、上記軸垂調整手段のシャーシに対する位置を調整することによって、上記テープ状記録媒体の走行方向に対する上記支持軸の傾斜角度を調整することを特徴とする。
【００１５】
また、本発明記録再生装置は、テープ状記録媒体を走行させるテープ走行機構と、走行するテープ状記録媒体が所定の巻き付け角だけ巻き付けられるドラム面を有し、該ドラム面に巻き付けられているテープ状記録媒体に対して信号の記録及び読取を行うドラムユニット装置を備え、上記ドラムユニット装置は、シャーシに固定的に設けられた支持軸と、上記支持軸を中心として位置すると共に走行するテープ状記録媒体が所定の巻き付け角だけ巻き付けられるドラム面を有するドラム体と、上記ドラム体の上記シャーシに対して固定的である部分に形成されテープ状記録媒体の側縁を案内するリードと、上記支持軸周りに回転自在に設けられると共に上記テープ状記録媒体に対する信号の記録及び読取を行うヘッドと、上記シャーシに上記支持軸の軸方向を横切る方向に移動可能に設けられると共に上記支持軸の自由端に直接に又は間接的に位置固定された軸垂調整手段とを備えたことを特徴とする。
【００１６】
従って、本発明にあっては、軸垂調整手段のシャーシに対する位置を調整することによって、支持軸の自由端がシャーシに対して移動されるため、支持軸がシャーシに対して傾斜する。従って、シャーシに対して固定的であるリードとシャーシに対して傾斜された支持軸周りに回転するヘッドの移動軌跡との相対角度が（軸調整手段のシャーシに対する位置調整前のリードとヘッドの移動軌跡との相対角度に対して）変更されることになる。
【００１７】
そのため、リード加工時やドラムユニットの組付時の機械的精度をそれほど高精度にしなくても、組立後の調整により、より高精度の記録を行うことができるドラムユニットとすることができる。しかも、軸垂調整手段を後付で設けるだけで良く、従来の構造のドラムユニットをそのまま使用することができる。
【００１８】
請求項２及び請求項４に記載した発明にあっては、上記テープ状記録媒体が記録面に磁性粉が塗布されて成る磁気テープであり、上記ヘッドが漏れ磁束により上記磁気テープに磁気的に記録を行い、また、磁気テープから発せられる漏れ磁束を読み取る磁気ヘッドであるので、クロストークがほとんど無い、高精度の記録及び再生が可能になる。
【発明を実施するための最良の形態】
【００１９】
以下に、本発明ドラムユニット装置及び記録再生装置を実施するための最良の形態について添付図面を参照して説明する。
【００２０】
なお、図示した記録再生装置は、本発明を、磁気テープを使用して記録及び再生を行う磁気記録再生装置に適用したものである。
【００２１】
先ず、図１によって、軸垂調整手段が設けられる前の状態の記録再生装置１の概要を説明する。
【００２２】
記録再生装置１はメカシャーシ１０を備え、該メカシャーシ１０に、テープ走行機構２０、ドラムユニット３０、カセット挿脱機構４０等が構成されている。
【００２３】
カセット挿脱機構４０は、後述する磁気テープが２つのリールに巻装された状態で収納されて成るテープカセット５０をメカシャーシ１０上のテープ走行機構２０に装着し及びテープ走行機構２０に装着されているテープカセット５０をテープ走行機構２０から取り出すためのものである。テープ走行機構２０は上記したテープカセット５０から磁気テープを引き出し、且つ、所定のテープ走行経路上を所定の速度で走行させるものである。そして、ドラムユニット３０は、上記した経路を走行する磁気テープが所定の巻き付け角だけ巻き付けられた状態で走行するドラム面を有し、該ドラム面に巻き付けられた状態で走行している磁気テープに回転磁気ヘッドによって信号の記録及び磁気テープに記録されている信号の読取を為すものである。
【００２４】
カセット挿脱機構４０は支持フレーム４１にカセット保持枠４２がほぼ上下方向に移動自在に支持されて成る。すなわち、カセット保持枠４２は、テープカセットが装着されていない状態では、移動範囲の上端に位置していて、図２に示すように、前方からテープカセット５０を受け入れるようになっている。そして、テープカセット５０がカセット保持枠４２に完全に挿入されると、図示しないセンサがテープカセット５０のカセット保持枠４２への挿入完了を検知し、カセット保持枠４２がほぼ下方向へ移動してテープカセット５０を所定の装着位置に装着するようになっている。
【００２５】
また、テープカセット５０を装着位置から取り出すときは、例えば、イジェクトボタンの押下により、カセット保持枠４２がカセット装着位置から上方へ移動し、さらに、図２に示すように、テープカセット５０の一部をカセット保持枠４２から突出させる。そこで、操作者はテープカセット５０のカセット保持枠４２から突出している部分を持ってテープカセット５０をカセット保持枠４２から引き出すことができる。
【００２６】
テープ走行機構２０は２つのリール台２１ｓ、２１ｔ、複数のテープガイド２２ａ、２２ａ、２２ｂ、２２ｃ、２３ａ、２３ｂ、２４ａ、２４ｂ、キャプスタン軸２５、ピンチローラ２６等からなる。
【００２７】
ドラムユニット３０は、図３で分かるように、磁気テープが巻き付けられるドラム体として、下ドラム３１と、該下ドラム３１の上側に回転自在に配置された上ドラム３２とを備え、メカシャーシ１０上に固定されたドラムベース３３の取付面３３ａに下ドラム３１の下面の中心部を除いた部分が固定される。そして、上記下ドラム３１と上ドラム３２の外周面が磁気テープが巻き付けられるドラム面とされる。上記ドラムベース３３の取付面３３ａはメカシャーシ１０の上面に対して所定の角度傾斜されており、従って、ドラムユニット３０は上ドラム３２の回転軸がメカシャーシ１０の上面に対して所定の角度傾斜された状態でシャーシ１０に対して固定される。下ドラム３１の外周面には上方を向いた微小な幅を有する段差部としてリード３１ａが形成されており、上ドラム３２の外周縁の下端には周方向に間隔をおいて幾つかの切欠３２ａ、３２ａ、・・・が形成されており、該切欠３２ａ、３２ａ、・・・に位置するように磁気ヘッド３２ｂ、３２ｂ、・・・が配置されている。
【００２８】
図４を参照して、ドラムユニット３０についてさらに詳細に説明する。
【００２９】
下ドラム３１は有底の円筒状に形成され、底部中央のボス部３１ｂに支持軸３４の下端部が圧入されている。なお、該支持軸３４の自由端である上端面には凹部３４ａが形成されている。そして、底部の周縁部から上方へ立ち上がった周壁部の外周面に上記リード３１ａが形成されている。そして、下ドラム３１の底部のやや上方の位置にモータステータ３５ａが配置されている。モータステータ３５ａには印刷法によるステータコイル等が形成されており、モータステータ３５ａの下ドラム３１外に突出した部分にフレキシブルプリント配線基板３５ｂが接続されており、該フレキシブルプリント配線基板３５ｂを介してモータステータ３５ａ上のステータコイルへの通電が為されるようになっている。
【００３０】
上ドラム３２は厚手の円板状をした主部３２ｃの中心部から円筒部３２ｄが下方へ突出したほぼＴ字状の断面を有しており、円筒部３２ｄの上下両端部に軸受ベアリング３２ｅ、３２ｅ（のアウターレース）が圧入状に固定されており、該軸受ベアリング３２ｅ、３２ｅのインナーレースに上記支持軸３４が圧入され、これによって、上ドラム３２は支持軸３４に回転自在に支持されている。そして、主部３２ｃの下面にヘッド基板３２ｆ、３２ｆ、・・・（図４には一つだけ示す）が支持され、該ヘッド基板３２ｆ、３２ｆ、・・・に上記磁気ヘッド３２ｂ、３２ｂ、・・・が支持されている。なお、３２ｇは軸受ベアリング３２ｅ、３２ｅ（のインナーレース）間で縮設された状態で支持軸３４に外嵌状に設けられた予圧用のコイルスプリングである。
【００３１】
上ドラム３２の円筒部３２ｄの下端部は上記モータステータ３５ａの中心部に形成された孔を通してモータステータ３５ａの下側まで突出しており、該円筒部３２ｄの下端部にモータバックヨーク３５ｃが固定されている。また、円筒部３２ｄの下端部からやや上方の部分にはモータマグネット３５ｄが固定されており、該モータマグネット３５ｄと上記モータバックヨーク３５ｃがモータステータ３５ａを上下から挟むように位置し、ここにモータ３５が構成される。従って、上記フレキシブルプリント配線基板３５ｂを介してモータステータ３５ａ上のステータコイルに通電されると、モータマグネット３５ｄに回転力が生じ、これによって、上ドラム３２が回転されることになる。
【００３２】
上ドラム３２の上側にはサポータ３６が固定されている。サポータ３６は支持軸３４の軸方向に見て上ドラム３２の外径とほぼ同じ外径を有する円形をしており、その中心に形成された圧入孔３６ａに上記支持軸３４の上端部が圧入され、これによって、支持軸３４の上端部に固定された状態となる。サポータ３６と上ドラム３２との間にはロータリトランス３７が介挿される。すなわち、ロータリトランス３７のロータ部３７ａが上ドラム３２の主部３２ｃの上面に固定され、ステータ部３７ｂがサポータ３６の下面に固定され、ロータ部３７ａとステータ部３７ｂとが僅かな間隙を隔てて対向される。ロータリトランス３７のロータ部３７ａは上記ヘッド基板３２ｆ、３２ｆ、・・・と電気的に接続されており、また、フレキシブルプリント配線基板３６ｂがロータリトランス３７のステータ部３７ｂと接続され、該フレキシブルプリント配線基板３６ｂ及びロータリトランス３７を介してヘッド基板３２ｆ、３２ｆ、・・・との信号の授受が行われ、これによって、磁気ヘッド３２ｂ、３２ｂ、・・・への書き込み電流の供給及び磁気ヘッド３２ｂ、３２ｂ、・・・が漏れ磁束に近接することによって磁気ヘッド３２ｂ、３２ｂ、・・・に生じる微弱電流の読取が行われる。
【００３３】
上記テープカセット５０内には２つのテープリール５１ｓ、５１ｔに巻装されて磁気テープ５２が収納されている。
【００３４】
テープカセット５０が上記したように所定の装着位置に装着されると、テープリール５１ｓ、５１ｔにリール台２１ｓ、２１ｔが各別に嵌合され、これによって、リール台２１ｓとテープリール５１ｓが、また、リール台２１ｔとテープリール５１ｔが、一体的に回転するようになる。
【００３５】
そして、操作者が所定の操作をすることによって、記録又は再生の指令が出されると、テープカセット５０が装着されたときに図５に示す位置にあったテープガイド２２ｂ、２２ｃ、２３ａ、２３ｂ、２４ａ、２４ｂがそれぞれ図６に示す位置へと移動し、これら移動するテープガイド２２ｂ、２２ｃ、２３ａ、２３ｂ、２４ａ、２４ｂによって磁気テープ５２がテープカセット５０から引き出され、所定の走行経路（テープパス）が形成される。この時、ピンチローラ２６が図５に示す位置から図６に示す位置へと移動してキャプスタン２５との間で磁気テープ５２を挟持した状態となる。また、テープガイド２３ａ、２３ｂと２４ａ、２４ｂとがそれぞれドラムユニット３０の両脇の後端寄りの位置まで移動するので、これによって、磁気テープ５２がドラムユニット３０のドラム面、すなわち、リード３１ａより上側の下ドラム３１の外周面及び上ドラム３２の外周面に所定の巻き付け角度だけ巻き付けられた状態となる。そして、磁気テープ５２の下縁はリード３１ａに沿った状態なる。
【００３６】
図７は磁気テープ５２がドラムユニット３０のドラム面に巻き付けられた状態の概略を示す（理解しやすくするために、テープガイド２３ａ、２３ｂ、２４ａ、２４ｂの位置をそれぞれ左右へずらして示している）。テープガイド２３ａと２３ｂ、また、テープガイド２４ａと２４ｂはそれぞれ同一のスライドベース２７、２８上に支持されており、テープガイド２３ａ、２４ａはそれぞれメカシャーシ１０の上面に対して垂直に延びており、テープガイド（傾斜ガイド）２３ｂ、２４ｂはそれぞれメカシャーシ１０の上面に対して傾斜されている。そして、傾斜ガイド２３ｂ、２４ｂがドラム面に近接して位置することによって、磁気テープ５２は上ドラム３２、従って、磁気ヘッド３２ｂ、３２ｂ、・・・の回転軸に対して所定の角度傾斜した状態で上記ドラム面に巻き付けられることになる。そして、磁気ヘッド３２ｂ、３２ｂ、・・・は下ドラム３１と上ドラム３２との間の間隙（図７に破線で示す）に沿って移動するので、磁気ヘッド３２ｂ、３２ｂ、・・・が磁気テープ５２の記録面をいわゆるヘリカルスキャンしながら信号の記録及び信号の読取を行う。すなわち、上記ヘリカルスキャンによる信号の記録により、磁気テープ５２の記録面には図８に実線で示すように斜めの記録跡（記録トラック）５２ａ、５２ａ、・・・が形成される。
【００３７】
上記記録トラック５２ａ、５２ａ、・・・の傾斜角度θは磁気テープ５２の走行速度、磁気ヘッド３２ｂ、３２ｂ、・・・の回転速度、リード３１ａの角度、磁気ヘッド３２ｂ、３２ｂ、・・・の移動軌跡のリード３１ａに対する相対角度によって決まる。これらファクターのうち、磁気テープ５２の走行速度と磁気ヘッド３２ｂ、３２ｂ、・・・の回転速度は電気的な制御によって最適な状態が得られる。また、リード３１ａの角度は、リード３１ａの切削精度と下ドラム３１のメカシャーシ１０への取付精度、すなわち、本実施の形態ではドラムベース３３の取付面３３ａの面精度によって決まるのと、上記テープガイド２３ａ、２４ａには上下に磁気テープ５２の上下両縁を規制するフランジ２３ｃ、２３ｄ、２４ｃ、２４ｄが設けられていると共に、スライドベース２７、２８に対して高さ調整自在に設けられているため、入り口側のフランジ付きテープガイド２３ａと出口側のフランジ付きテープガイド２４ａの高さを調整することによって、磁気テープ５２の走行経路とリード３１ａとの間の若干のずれは調整可能である。しかしながら、磁気ヘッド３２ｂ、３２ｂ、・・・の移動軌跡は支持軸３４の下ドラム３１に対する軸垂度にかかっている。すなわち、支持軸３４が下ドラム３１に対して垂直になっていないと、リード３１ａと磁気ヘッド３２ｂ、３２ｂ、・・・の移動軌跡との相対角度が設計上の角度と異なってきてしまう。リード３１ａと磁気ヘッド３２ｂ、３２ｂ、・・・の移動軌跡との相対角度が設計上の角度と異なると、磁気ヘッド３２ｂ、３２ｂ、・・・の磁気テープ５２に対する移動軌跡が図８に破線又は一点鎖線で示すように、設計通りに記録された記録トラックの上を精確にトレースすることができず、高い品質の再生信号を得ることができない。また、設計通りの移動軌跡を通らない磁気ヘッド３２ｂ、３２ｂ、・・・によって記録した磁気テープ５２を他の設計通りに形成された記録再生装置によって再生しようとしても、良好な再生信号を得ることができない。
【００３８】
そこで、本発明にあっては、支持軸３４の下ドラム３１に対する軸垂度を調整するために軸垂調整手段６０を設けてある。軸垂調整手段６０は、図９及び図１０で分かるように、メカシャーシ１０に位置調整可能に支持された調整板６１と該調整板６１に螺合された調整ピン６２とから成る。調整板６１は厚手の、例えば、３ｍｍ乃至５ｍｍの厚さを有する金属板によって形成されており、メカシャーシ１０に固定された上記支持フレーム４１に取付ネジ６３、６３によって固定されている。すなわち、支持フレーム４１の上面板４１ａに形成されたネジ挿通孔４１ｂ、４１ｂを挿通された取付ネジ６３、６３が調整板６１に形成された取付用螺孔６１ａ、６１ａに螺合されることによって、調整板６１が支持フレーム４１の上面板４１ａに支持される。そして、取付ネジ６３、６３を取付用螺孔６１ａ、６１ａに対して緩めると、取付ネジ６３、６３とネジ挿通孔４１ｂ、４１ｂとの間の形状差により、調整板６１を支持フレームに対して若干移動させることができる。
【００３９】
上記調整ピン６２は中間部分の外周面に螺条６２ａが形成されており、該螺条６２ａが調整板６１の中央部に形成された支持用螺孔６１ｂに上方から螺合され、先端に形成された尖頭部６２ｂが上記支持軸３４の自由端である上端に形成された凹部３４ａに係合される。すなわち、支持軸３４の自由端に軸垂調整手段６０が直接位置固定される。なお、調整板６１に形成された支持用螺孔６１ｂは支持軸３４の傾斜角度とほぼ同じ角度で傾斜されており、従って、調整ピン６２は支持軸３４とほぼ同軸上に位置する（図１０、図１１参照）。
【００４０】
軸垂調整手段６０は上記したように構成されているので、調整ピン６２の尖頭部６２ｂを支持軸３４の凹部３４ａに圧着した状態で、取付ネジ６３、６３を緩めて調整板６１を任意の方向へ移動させることによって、調整ピン６２の尖頭部６２ｂが水平方向において移動することになるので、該尖頭部６２ｂによって支持軸３４の上端が水平方向への移動力を受ける。この移動力を受けることによって支持軸３４は下ドラム３１に圧入されている下端部を中心にして傾くことになり、これによって、下ドラム３１に形成されたリード３１ａに対する支持軸３４の角度が変化する。そこで、取付ネジ６３、６３をきつく締め直せば、支持軸３４はリード３１ａに対する角度が変化された状態で固定される。
【００４１】
以上のようにして、支持軸３４の下ドラム３１に対する軸垂度を調整することによってリード３１ａと磁気ヘッド３２ｂ、３２ｂ、・・・の移動軌跡との為す角度を調整することができる。
【００４２】
図１２乃至図１４は、自己録再生、すなわち、同一の記録再生装置によって記録を行い、そして、該記録した磁気テープを再生した場合における、ＲＦ出力を（ａ）に示し、当該磁気テープにつき記録トラックパターンの現像を行った場合における各パターンの基準位置からのずれを（ｂ）に、（ｃ）にドラムユニットの概略断面図を示す。
【００４３】
図１２はリード３１ａの出口側に支持軸３４が傾いている状態（図１２（ｃ））を示し、この場合、ＲＦ出力は右上がりの傾向を示し（図１２（ａ））、現像したトラックパターンは右下がりの傾向を示す（図１２（ｂ））。また、図１３はリード３１ａの入り口側に支持軸３４が傾いている状態を示し（図１３（ｃ））、この場合、ＲＦ出力は右下がりの傾向を示し（図１３（ａ））、現像したトラックパターンは右上がりの傾向を示す（図１３（ｂ））。そして、下ドラム３１に対して支持軸３４の軸垂が保たれている（リード３１ａと支持軸３４（磁気ヘッド３２ｂ、３２ｂ、・・・の移動軌跡）との相対角度が正規の角度に保たれている）場合は（図１４（ｃ）の状態）、ＲＦ出力はフラットになり（図１４（ａ））、そして、現像したトラックパターンもフラットになる（図１４（ｂ））。本発明ドラムユニット装置の軸垂調整手段６０を使用すれば、図１２や図１３に示すように、リード３１ａと支持軸３４との相対角度が正規の状態からずれていた場合でも、図１４に示す状態まで調整することができる。すなわち、現像したトラックパターンで上下約４μｍの範囲でばらついていたものを図１４（ｂ）に示すように、上下２μｍの範囲内に収めることができる。
【００４４】
磁気テープへの記録密度がより高密度になるに従って、記録トラックの幅が狭くなり、また、記録トラック間の間隔も狭くなる。このような状況は、磁気ヘッドが磁気テープの記録面をトレースする軌跡の僅かの狂いでもクロストークを生じたり、十分な再生出力を得られない等の問題を生じる。それでも、記録と再生が同一の記録再生装置によって為されている分にはそれほどの不都合は生じないが、記録と再生が別の記録再生装置によって為される場合には、これら２つの記録再生装置間において磁気テープ上の記録トラックと磁気ヘッドの移動軌跡との間に僅かでもずれがあると、高品質の再生信号を得ることができなくなってしまう。いわゆる互換性が取れなくなる。そこで、非常に厳密な規格で記録トラックが形成されたトラッキング基準テープを用意しておき、このトラッキング基準テープを再生して、その出力状態を見ながら、トラッキング調整を行うようになっている。トラッキング調整には、上記したように、電気的な方法と機械的な方法とがあり、磁気テープの走行速度や磁気ヘッドの回転速度の微調整によるのが電気的方法であり、これらは、比較的に容易に行うことができる。機械的方法には、例えば、上記したように、入り口側と出口側に位置するフランジつきテープガイド２３ａ、２４ａの高さを微調整することによってドラムユニット３０に対する磁気テープ５２の高さ及び傾斜を微調整する方法がある。しかしながら、これら方法によって十分な再生出力を得られない場合には、ドラムユニットのメカシャーシに対する取付角度を調整したり、支持軸の傾斜角度を調整したりしなければならず、簡単な調整作業によって行うことはできない。
【００４５】
しかしながら、本発明によれば、支持軸３４の下ドラム３１に対する傾斜そのものを調整することができるので、今まで、調整困難であったほどの大きなトラッキング不具合をも調整することが可能になる。また、上記した自己録再現像パターンを参照することによって、図１４（ｂ）に示すような極めてフラットな傾向を示すトラックパターンを得ることができるように調整することによって、上記したトラック基準テープを作成する基準ドラムユニットとして使用することも可能になる。
【００４６】
図１５は軸垂調整手段の変形例６０Ａを示すものである。
【００４７】
軸垂調整手段６０Ａは上記支持フレーム４１に取付ネジ６３、６３で位置固定されたベース部材６４と該ベース部材６４に対して左右方向、すなわち、図１５中矢印Ｌ−Ｒ方向にスライド自在に支持された調整板６５と該調整板６５に形成された螺孔６５ａに螺条６２ａが螺合された調整ピン６２を備える。上記ベース部材６４には左右に長い開口部６４ａが形成されており、該開口部６４ａ内に調整板６５と連結されたスライダー６６が位置されている。スライダー６６の一端には端面から内方へと延びる摺動穴６６ａが形成されており、スライダー６６の他端部には端面から内方へ延びる螺穴６６ｂが形成されている。上記ベース部材６４の開口部６４ａの一端からは他端へ向けて延びる案内ピン６４ｂが突出されており、該案内ピン６４ｂが上記スライダー６６の摺動穴６６ａに摺動可能に挿入されている。また、ベース部材６４の他端部には該他端部を左右に貫通して延びる調整ネジ６７が回転自在に、且つ、軸方向への移動不能に支持されており、該調整ネジ６７の開口部６４ａ内に突出した先端部が上記スライダー６６の螺穴６６ｂに螺合されている。従って、調整ネジ６７を回転操作することによって、その回転の方向に応じて、スライダー６６、従って、調整板６５が左右方向に移動することになる。
【００４８】
そして、上記調整ピン６２の先端の尖頭部６２ｂがドラムユニット３０の支持軸３４の上端に形成された凹部３４ａに係合している。
【００４９】
従って、調整ネジ６７を回転操作することによって、支持軸３４の下ドラム３１に対する軸垂度を調整することができる。
【００５０】
本発明を適用することができるドラムユニットは上記したタイプのドラムユニット３０に限らない。軸固定型ドラムユニットであれば本発明を適用することができる。例えば、図１６に示すドラムユニット７０にも本発明を適用することができる。
【００５１】
ドラムユニット７０は、下ドラム７１（ドラム体）と上ドラム７２（ドラム体）と軸ユニット７３を備える。そして、下ドラム７１と上ドラム７２の外周面が磁気テープ５２が巻き付けられるドラム面とされる。
【００５２】
下ドラム７１は厚手の円板状をした主部７１ａの周縁部から円筒状の周壁部７１ｂが立ち上がり、且つ、主部７１ａの中心部に下方へ突出した支持ボス７１ｃが一体に形成されて成る。そして、周壁部７１ｂの外周面にはリード７１ｄが形成され、また、支持ボス７１と主部７１ａの中心を貫通して支持孔７１ｅが形成されている。
【００５３】
上ドラム７２は厚手の円板状をした主部７２ａの周縁部から周壁部７２ｂが立ち上げられ、主部７２ａの中心部には結合孔７２ｃが形成されている。そして、主部７２ａの下面にはヘッド基板７２ｄ、７２ｄ、・・・（図では１個のみ示す）が支持され、該ヘッド基板７２ｄ、７２ｄ、・・・に磁気ヘッド７２ｅ、７２ｅ、・・・（図では１個のみ示す）が支持され、磁気ヘッド７２ｅ、７２ｅ、・・・の先端は上ドラム７２の主部７２ａの周縁部と下ドラム７１の周壁部７１ｂの上縁との間の間隙部に位置している。
【００５４】
軸ユニット７３は支持軸７３ａとスリーブ７３ｂと軸受ベアリング７３ｃとを備える。スリーブ７３ｂはほぼ円筒状をしており、中間部分７３ｂ′の外径がやや大きくされている。そして、スリーブ７３ｂの上下両端部に軸受ベアリング７３ｃ、７３ｃ（のアウターレース）が圧入され、また、軸受ベアリング７３ｃ、７３ｃ（のインナーレース）に支持軸７３ａが圧入され、支持軸７３ａの上下両端部はスリーブ７３ｂの上下両端から上下に突出している。そして、予圧用のコイルスプリング７３ｄが軸受ベアリング７３ｃ、７３ｃ（のインナーレース）間で縮設された状態で支持軸７３ａに外嵌されている。そして、軸ユニット７３のスリーブ７３ｂの上端部が上ドラム７２の主部７２ａの結合孔７２ｃに下方から圧入され、これによって、上ドラム７２と軸ユニット７３とが一体化される。そして、スリーブ７３ｂの下端から下方へ突出した支持軸７３ａの下端部が下ドラム７１の支持孔７１ｅに上方から圧入固定される。これによって、上ドラム７２は下ドラム７１に固定された支持軸７３ａにスリーブ７３ｂを介して回転自在に支持される。
【００５５】
上ドラム７２に支持された磁気ヘッド７２ｅ、７２ｅ、・・・と外部の回路との間の信号の授受はロータリートランス７４を介して行われる。ロータリートランス７４のステータ部７４ａは下ドラム７１の主部７１ａの上面に載置され、ロータリートランス７４のロータ部７４ｂは軸ユニット７３のスリーブ７３ｂの下端部に固定され、これによって、ステータ部７４ａとロータ部７４ｂとが僅かな間隙を開けて対向した状態とされ、ロータ部７４ｂは上ドラム７２に支持されたヘッド基板７２ｄ、７２ｄ、・・・と電気的に接続される。そして、ステータ部７４ａは信号伝達用のフレキシブルプリント配線基板７４ｃと接続され、該フレキシブルプリント配線基板７４ｃが外部の信号処理回路と接続される。これによって、フレキシブルプリント配線基板７４ｃ、ステータ部７４ａ、ロータ部７４ｂ、ヘッド基板７２ｄ、７２ｄ、・・・を介して、磁気ヘッド７２ｅ、７２ｅ、・・・と外部の信号処理回路との間の信号の授受が行われる。
【００５６】
上ドラム７２の上側にはシャーシ１０に対して固定的なサポータ７５が設けられる。サポータ７５の中心部には下方に突出した突部７５ａが設けられ、該突部７５ａに下方に開口した圧入穴７５ｂが設けられ、該圧入穴７５ｂに上記支持軸７３ａの自由端である上端部が圧入され、これによって、サポータ７５は下ドラム７１、支持軸７３ａを介してメカシャーシ１０に固定的に設けられる。なお、下ドラム７１は、例えば、上記したドラムベース３３と同様の図示しないドラムベースを介してメカシャーシ１０に固定される。なお、サポータ７５の上面のうち圧入穴７５ｂに対応した部分に凹部７５ｃが形成されている。
【００５７】
上記したサポータ７５と上ドラム７２との間にモータ７６が設けられる。上ドラム７２の主部７２ａの上面にはモータヨーク７６ａを介してモータマグネット７６ｂが支持されており、また、上ドラム７２の周壁部７２ｂの上端部から内方に突出するようにモータバックヨーク７６ｃが設けられている。また、サポータ７５の突部７５ａの下端部には外方へ張り出すようにモータステータ７６ｄが支持されていて、該モータステータ７６ｄには、例えば、印刷手段による図示しないステータコイルが形成されている。これによって、モータマグネット７６ｂとモータバックヨーク７６ｃがモータステータ７６ｄを上下から挟むように位置し、ここにモータ７６が形成される。そして、モータステータ７６ｄがフレキシブルプリント配線基板７６ｅと接続され、該フレキシブルプリント配線基板７６ｅを介してモータステータ７６ｄ上のステータコイルに通電が為され、これによって、モータマグネット７６ｂに回転力が生じ、該回転力によって上ドラム７２が回転される。
【００５８】
そして、このように構成されたドラムユニット７０の支持軸７３ａの直ぐ上に位置した凹部７５ｃに上記した軸垂調整手段６０又は６０Ａの調整ピン６２の尖頭部６２ｂが係合される。すなわち、支持軸７３ａの自由端に軸垂調整手段６０Ａが間接的に位置固定される。従って、上記したように、調整板６１又は６５の位置が調整されることによって、支持軸７３ａの下ドラム７１に対する軸垂が調整されることになる。
【００５９】
なお、図４及び図１６に示したドラムユニット以外の構造のドラムユニットであっても、支持軸が下ドラムに固定され、該支持軸に対して磁気ヘッドを支持した上ドラムが回転自在に支持される、いわゆる、軸固定型のドラムユニットであれば、本発明を適用することができる。
【００６０】
図１７は本発明ドラムユニット装置の別の実施の形態を示すものである。
【００６１】
この実施の形態における軸垂調整手段８０は、調整板８１がメカシャーシ１０に直接支持されている。調整板８１は、ほぼ水平に延びるピン支持部８１ａと該ピン支持部８１ａの一端縁から下方へ突出した脚部８１ｂと該脚部８１ｂの下端から水平に突出した足部８１ｃとが金属材料によって一体に形成されて成り、足部８１ｃ、８１ｃが取付ネジ８２、８２（図１７に１個のみ示す）によってメカシャーシ１０の上面に直接支持されている。そして、これらピン支持部８１ａ、脚部８１ｂ及び足部８１ｃはそれぞれ厚手の板状をしている。そして、取付ネジ８２、８２を緩めることによって調整板８１のメカシャーシ１０に対する位置を調整できるようになっている。
【００６２】
そして、上記調整板８１のピン支持部８１ａに形成された図示しない螺孔に上記調整ピン６２とほぼ同様の調整ピン８３の螺条８３ａが螺合され、且つ、調整ピン８３の尖頭部８３ｂがドラムユニット３０の支持軸３４の上端面に形成された凹部３４ａに係合されている。
【００６３】
従って、調整板８１のメカシャーシ１０に対する位置を調整することによって支持軸３４を傾斜させて、該支持軸３４の下ドラム３１に対する軸垂度を調整することができる。
【００６４】
図１８は本発明ドラムユニット装置のさらに別の実施の形態を示すものである。
【００６５】
この実施の形態における軸垂調整手段９０は、調整板９１がドラムベース３３に支持されることによって、ドラムベース３３を介してメカシャーシ１０に支持されている。調整板９１はピン支持部９１ａと該ピン支持部９１ａの一端縁からほぼ下方へ突出した脚部９１ｂと該脚部９１ｂの下端から上記ピン支持部９１ａとほぼ平行に突出した足部９１ｃとが金属材料によって一体に形成されている。これらピン支持部９１ａ、脚部９１ｂ及び足部９１ｃはそれぞれ厚手の板状をしている。そして、足部９１ｃがドラムベース３３に支持されている。なお、足部９１ｃをドラムベース３３に支持する手段の詳細は示さないが、ドラムベース３３の取付面３３ａに沿う方向に位置調整自在に支持されている。
【００６６】
そして、上記調整板９１のピン支持部９１ａに形成された図示しない螺孔に上記調整ピン６２とほぼ同様の調整ピン９２の螺条９２ａが螺合され、且つ、調整ピン９２の尖頭部９２ｂがドラムユニット３０の支持軸３４の上端面に形成された凹部３４ａに係合されている。
【００６７】
従って、調整板９１のドラムベース３３に対する位置を調整することによって支持軸３４を傾斜させて、該支持軸３４の下ドラム３１に対する軸垂度を調整することができる。
【００６８】
なお、上記したものの他にも、本発明における軸垂調整手段は、シャーシ（メカシャーシ）に支持軸の軸方向を横切る方向に移動可能に設けられると共に支持軸の自由端に直接に又は間接的に位置固定される構造を有するものであればよい。
【００６９】
その他、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【産業上の利用可能性】
【００７０】
テープ状記録媒体をドラム面に巻き付けた状態で走行させ、テープ状記録媒体のドラム面に巻き付けられている部分に記録再生ヘッドをヘリカルスキャンさせて記録及び再生を行う記録再生装置に適用して、高品位で互換性に優れた記録を為すことができる。
【図面の簡単な説明】
【００７１】
【図１】図２乃至図１１と共に本発明の実施の形態を示すものであり、本図は記録再生装置の概略分解斜視図である。
【図２】テープカセットがカセット保持枠に挿入される状態を示す概略斜視図である。
【図３】ドラムユニットの概略を示す分解斜視図である。
【図４】ドラムユニットの概略縦断面図である。
【図５】テープカセットが記録再生装置に装着された状態を示す概略平面図である。
【図６】テープカセットから磁気テープが引き出されてテープ走行経路が形成された状態を示す概略平面図である。
【図７】磁気テープがドラムユニットに巻き付けられた状態を示す概略正面図である。
【図８】磁気テープに形成される記録トラックの様子を概念的に示す図である。
【図９】図１０及び図１１と共にドラムユニット装置の一例を示すものであり、本図は概略平面図である。
【図１０】概略正面図である。
【図１１】要部の概略拡大縦断面図である。
【図１２】図１３及び図１４と共に支持軸の下ドラムに対する軸垂状態と再生ＲＦ信号及び自己録再生現像パターンとの関係を、（ａ）に再生ＲＦ信号を、（ｂ）に自己録再生現像パターンを、（ｃ）に支持軸の下ドラムに対する軸垂状態を示して説明するための図であり、本図は支持軸がリードの出口側に傾斜しているときの状態を示すものである。
【図１３】支持軸がリードの入り口側に傾斜しているときの状態を示すものである。
【図１４】支持軸の下ドラムに対する軸垂が正しく保たれているときの状態を示すものである。
【図１５】軸垂調整手段の変形例を示す概略平面図である。
【図１６】ドラムユニットの別の例を示す概略縦断面図である。
【図１７】ドラムユニット装置の別の実施の形態を示す概略正面図である。
【図１８】ドラムユニット装置のさらに別の実施の形態を示す概略正面図である。
【符号の説明】
【００７２】
１…記録再生装置、１０…メカシャーシ（シャーシ）、２０…テープ走行機構、３０…ドラムユニット、３１…下ドラム（ドラム体）、３１ａ…リード、３２…上ドラム（ドラム体）、３２ｂ…磁気ヘッド（ヘッド）、３４…支持軸、５２…磁気テープ（テープ状記録媒体）、６０…軸垂調整手段、６０Ａ…軸垂調整手段、７０…ドラムユニット、７１…下ドラム（ドラム体）、７１ｄ…リード、７２…上ドラム（ドラム体）、７２ｅ…磁気ヘッド（ヘッド）、７３ａ…支持軸、８０…軸垂調整手段、９０…軸垂調整手段
【図１】
2005203031.tif 000003
【図２】
2005203031.tif 000004
【図３】
2005203031.tif 000005
【図４】
2005203031.tif 000006
【図５】
2005203031.tif 000007
【図６】
2005203031.tif 000008
【図７】
2005203031.tif 000009
【図８】
2005203031.tif 000010
【図９】
2005203031.tif 000011
【図１０】
2005203031.tif 000012
【図１１】
2005203031.tif 000013
【図１２】
2005203031.tif 000014
【図１３】
2005203031.tif 000015
【図１４】
2005203031.tif 000016
【図１５】
2005203031.tif 000017
【図１６】
2005203031.tif 000018
【図１７】
2005203031.tif 000019
【図１８】
2005203031.tif 000020